Podtech/llm-jp-corpus-v4-ja_patent huggingface dataset:
(57)【要約】      （修正有）【課題】鉄道事業者は相対的に安価なコストで対応でき、視覚障害者は相対的に簡単な操作で対応できる駅ホーム転落防止のための安全対策となる視覚障害者用の白杖、及びステンレス板と白杖との組み合わせを提供する。【解決手段】視覚障害者用の白杖１は、一方の先端に磁石を取り付ける。また、ステンレス板と白杖との組み合わせは、駅ホームに敷設する磁性を持った白色のステンレス板８と、ステンレス板８に反応して吸着する磁石を一方の先端部分に取り付けた白杖１とを有する。【選択図】図８
0003219069.tif 000002
【実用新案登録請求の範囲】
【請求項１】
一方の先端に磁石を取り付けた視覚障害者用の白杖。
【請求項２】
磁性を持った白色のステンレス板の駅ホームへの敷設。
視覚障害者が鉄道の駅ホームから転落する事故の防止を目的としたものである。
設置コストが高額なため普及の進まない駅ホームドアに代替する機能を備えており、しかも設置に必要なコストは少額である。
具体的には駅ホームに敷設する磁性を持った白色のステンレス板と、同ステンレス板に反応して吸着する磁石を一方の先端部分に取り付けた白杖から構成される。設置運用コストの大幅ダウンで普及を促し、視覚障害者が駅ホームから転落する悲惨な事故の防止を目的としたものである。
【考案の詳細な説明】
【考案の詳細な説明】
【技術分野】
【０００１】本考案は視覚障害者の駅ホーム転落事故を防ぐため、鉄道事業者が駅ホームの黄色い点字ブロックの内側へ磁性を持った白色のステンレス板を敷設し、視覚障害者は先端に磁石を装着した白杖を使用することで、白杖の磁石がステンレス板へ吸着し、視覚障害者に危険を知らせる技術である。
【背景技術】
【０００２】視覚障害者の駅ホーム転落防止対策として採用されてきた従来の技術は、ホームドアの設置である。しかしこれには巨額の費用がかかるため、現状ではごく一部の駅に設置されているのみである。このため転落事故が後を絶たない。
【考案が解決しようとする課題】
【０００３】鉄道事業者は相対的に安価なコストで対応でき、視覚障害者は相対的に簡単な操作で対応できる駅ホーム転落防止のための安全対策。
【課題を解決するための手段】
【０００４】鉄道事業者は磁性を持った白色のステンレス板を駅ホームの白線の上に敷設する。これはホームドアの設置と比較し格段に少額なコストで済む。そして視覚障害者はステンレス板に反応して吸着する磁石を装着した白杖を使用する。磁力は白杖を手前に引けばステンレス板から離れる程度に設定する。
【考案の効果】
【０００５】磁石は磁性を持った白色のステンレス板へ敏感に反応して吸着するため、当該磁石を先端に装着した白杖を駅ホームで使用すれば、ホーム上で確実に危険を示す位置（白線）を体感的に察知出来る。
【０００６】注目すべきは視覚障害者が単独で鉄道を利用する場合、ほぼ同じ経路で自宅と外出先を往復する。その理由は慣れた経路以外の新しい経路を単独で見つける事が困難なためである。つまり往路の乗車駅と下車駅が帰路は逆になるので、磁石の付いた白杖は限られた駅でのみ必要となる。
【０００７】このため視覚障害者の利用する駅に磁石を取り付けた白杖が備えてあれば、視覚障害者にとって大きな助けとなる。すなわち
往路：乗車駅で借り、下車駅で返却
復路：乗車駅（往路の下車駅）で借り、下車駅（往路の乗車駅）で返却
【０００８】しかし駅にステンレス板が敷設されていても、磁石付きの白杖が備えてない場合は、視覚障害者は磁石を取り付けた白杖を自分で用意する必要がある。
【図面の簡単な説明】
【０００９】
【図１】使用する磁石の平面図である。
【図２】磁石を装着する容器の側面図である。
【図３】磁石を装着する容器の平面図である。
【図４】磁石を装着した容器を下から見た図である。
【図５】磁石を装着した容器を一方の先端に取付けた白杖の正面図と側面図である。
【図６】白色のステンレス板の平面図と側面図である。
【図７】駅ホームの簡略化した断面図である。
【図８】駅ホームで磁石がステンレス板に吸着した断面図である。
【符号の説明】
【００１０】１．白杖
２．白杖の先端に取り付けた、磁石を装着した容器
３．鉄道のレール
４．駅のホーム台
５．駅のホーム台の先端に張り付けた滑り止め
６．黄色の点字ブロック
７．白線
８．白色のステンレス板
９．石突き
【図１】
0003219069.tif 000003
【図２】
0003219069.tif 000004
【図３】
0003219069.tif 000005
【図４】
0003219069.tif 000006
【図５】
0003219069.tif 000007
【図６】
0003219069.tif 000008
【図７】
0003219069.tif 000009
【図８】
0003219069.tif 000010
【手続補正書】
【提出日】平成30年9月3日(2018.9.3)
【手続補正１】
【補正対象書類名】実用新案登録請求の範囲
【補正対象項目名】請求項２
【補正方法】変更
【補正の内容】
【請求項２】
駅ホームに敷設する磁性を持った白色のステンレス板と、上記ステンレス板に反応して吸着する磁石を一方の先端部分に取り付けた白杖とを有する、ステンレス板と白杖との組み合わせ。
(57)【要約】      （修正有）【課題】高い害獣捕獲能力を有し、効果を持続するための重大な管理作業を伴いにくい獣害対策防護装置を提供する。【解決手段】管理農地４の周囲を囲むように設置された対象害獣相応の害獣侵入防止装置１と、害獣侵入防止装置１に設けられた対象害獣相応の害獣侵入口２と、害獣侵入口２付近から管理農地４に続くように設けられた対象害獣相応の捕獲用罠５とを有する。【選択図】図１
0003219067.tif 000002
【実用新案登録請求の範囲】
【請求項１】
管理農地の周囲を囲むように設置された対象害獣相応の害獣侵入防止装置と、
前記害獣侵入防止装置に設けられた対象害獣相応の害獣侵入口と、
前記害獣侵入口付近から前期管理農地に続くように設けられた対象害獣相応の捕獲用罠とを有することを特徴とする獣害対策防護装置。
【考案の詳細な説明】
【技術分野】
【０００１】  本考案は、獣害対策防護捕獲装置に関するものである。
【背景技術】
【０００２】  管理農地において、獣害対策は不可欠な項目であり、古くは案山子から、爆音機など多種多様な対策が講じられて来た。【０００３】現在では電気牧柵装置など、管理農地周辺を囲い高電圧を流し、害獣の管理農地への侵入を阻む装置が用いられている。【０００４】  しかし、案山子や爆音機などは使用方法でそれなりの改善はみられるが、対象害獣の馴れ等により、徐々に効果を発揮しなく成りやすい。【０００５】  また、電気牧柵装置などは、漏電原因でもある下草処理が重要であるが、機材の配置上、処理しづらく、下草処理中に機材を巻き込み機材を破損するなどの事象が稀に起こりうる。【０００６】  更には、漏電や配線切断など、環境次第では、対象害獣に充分に感電効果を発揮できないことも起こりうる。
【考案の概要】
【考案が解決しようとする課題】
【０００７】  管理農地において、害獣の特性に則した獣害対策防護捕獲装置を提供することにある。
【課題を解決するための手段】
【０００８】  請求項１の考案は、警戒心の強い動物は一番入りやすい場所を探し侵入するという特性に則し、管理農地の周囲に隙間が無いように設置された害獣侵入防止装置と、前記害獣侵入防止装置に設ける害獣侵入口と、前記害獣侵入口付近に捕獲用罠を設けることを主要な特徴とする。
【考案の効果】
【０００９】  請求項１の考案によれば、獣害対策防護捕獲装置は、害獣の特性に則することにより、確実に対象害獣を捕獲用罠に誘引し高い捕獲性能を提供することが出来得る。【００１０】  また、害獣侵入口以外の以外の進入経路の助長にならない程度であれば、下草処理などの管理作業も厳重でなくても構わない。
【図面の簡単な説明】
【００１１】
【図１】本考案装置の実施例１を示す説明図である。（実施例１）
【図２】本考案装置の実施例１の細部を示す説明図である。（実施例１）
【図３】本考案装置の実施例２の細部を示す説明図である。（実施例２）
【実施例１】
【００１２】  図１は、本考案装置の１実施例の図である。管理農地４の周囲に害獣侵入防止装置１を害獣の侵入経路が無いように設置すると、害獣は一番入りやすい場所を探し侵入するという特性により害獣侵入防止装置１の周囲を周回するように侵入口を探すため、一見、一番侵入しやすく見える前記害獣侵入防止装置１に設けられた対象害獣相応の害獣侵入口２を発見し侵入を試みる。前記害獣侵入口２付近には、前期管理農地４に続くように設けられた対象害獣相応の捕獲用罠５が仕掛けられているため、そのまま捕獲用罠５へと誘引される仕組みの装置である。
【産業上の利用可能性】
【００１３】  本装置は、捕獲用罠を管理農地に効果的に仕掛けることにより、対象害獣を意図して捕獲することができ、無為に野生動物を対象とすることがなくなる。また、農地管理者と狩猟者と食肉処理業者が連携することにより、野山の狩猟に比べ、安全で画一的な野生鳥獣肉の供給ラインができうる。
【符号の説明】
【００１４】  １    害獣侵入防止装置（手段）
２    害獣侵入口
３    管理者出入口
４    管理農地
５    捕獲用罠
【図１】
0003219067.tif 000003
【図２】
0003219067.tif 000004
【手続補正書】
【提出日】平成30年10月24日(2018.10.24)
【手続補正２】
【補正対象書類名】図面
【補正対象項目名】全図
【補正方法】変更
【補正の内容】
【図１】
0003219067.tif 000005
【図２】
0003219067.tif 000006
【図３】
0003219067.tif 000007
(57)【要約】【課題】  本考案は、アルミサッシ用のクレセント錠が施錠と解錠のいずれの状態であるかを色や図形の違いで判別するための後付け可能な表示器具に関するものである。【解決手段】  本考案の施解錠表示器具は、クレセント錠のハンドル又はロール壁（湾曲部）に取り付けるためのクリップ式固定具と、表と裏で色や図形が異なる表示板から構成されている。クレセント錠の施錠と解錠に伴ってクレセント錠のハンドルやロール壁が上下に180度回転することにより、ハンドル又はロール壁に固定された表示板も回転して裏表が変わり、鍵の施錠と解錠が表示板の色や図形の変化として判別されることを特徴とする後付け可能な施解錠表示器具である。【選択図】図３
0003219324.tif 000002
【実用新案登録請求の範囲】
【請求項１】
クレセント錠のハンドル又はロール壁に取り付けるためのクリップ式固定具と、裏表で色や図形が異なる表示板から構成され、クレセント錠の施錠と解錠に伴ってハンドルやロール壁が上下に回転することにより表示板も回転して裏表が変わり、鍵の施錠と解錠が色や図形の変化として判別される施解錠表示器具。
【考案の詳細な説明】
【技術分野】
【０００１】
本考案は、アルミサッシ用のクレセント錠が施錠と解錠のいずれの状態であるかを色や図形の違いで判別するための後付け可能な表示器具に関するものである。
【背景技術】
【０００２】
現在、建築物の窓にはアルミサッシが用いられており、その鍵としては安価で施錠と解錠の操作が容易なクレセント錠が多く使われている。クレセント錠が開錠と施錠のいずれの状態であるのかを確認するためには、鍵に近づいてクレセント錠のハンドルが上下のどちら側にあるかを見る必要があった。
【０００３】
このクレセント錠の欠点を改善するため、これまでにも特許文献1のようにクレセント錠の一部分を着色して、施錠と解錠状態を色で判別できるようにする考案がなされていた。
【先行技術文献】
【特許文献】
【０００４】
【特許文献１】実開1976-141690号公報
【考案の概要】
【考案が解決しようとする課題】
【０００５】
アルミサッシとその鍵として多く用いられているクレセント錠は同じ銀白色や同系統色であることが多く、鍵が施錠状態であるかどうかを確認するためにはクレセント錠のハンドルの位置を近くで確認する必要があった。このため特に窓の多い建物の場合には施錠確認に時間を要し、鍵の掛け忘れを生じやすいという欠点があった。
【０００６】
これを改善するために特許文献１ではクレセント錠の一部分を着色する考案もなされているが、実施するためにはクレセント錠本体の交換が必要であり、多くの費用を要する欠点があった。また、コンパクトなクレセント錠の一部分のみを着色するため、着色部分が小さく、改善の効果が小さいといった問題点が残されていた。本考案は、これらの問題点を解決するためになされたものである。
【課題を解決するための手段】
【０００７】
本考案の施解錠表示器具（以下、表示器具と記す）は、クレセント錠のハンドル又はロール壁（湾曲部）に取り付けるためのクリップ式固定具と、表と裏で色や図形が異なる表示板から構成されている。クレセント錠の施錠と解錠に伴ってクレセント錠のハンドルやロール壁が上下に180度回転することにより、ハンドル又はロール壁に固定された表示器具の表示板も回転して裏表が変わり、鍵の施錠と解錠が表示板の色などの変化として判別されることを特徴とする後付け可能な表示器具である。
【考案の効果】
【０００８】
本考案の表示器具が既存のクレセント錠に後付けできるため、既存のクレセント錠を取り換えることなく、そして表示板が十分な大きさであるため、離れた位置からもクレセント錠が施錠と解錠のいずれの状態であるかを容易に判別できるようになる。また、表示部を取り換え可能にすることにより、防犯のために利用者以外の者にはクレセントの施解錠状態をわかりにくくすることが可能である。
【図面の簡単な説明】
【０００９】
【図１】本考案の表示器具の正面図である。
【図２】本考案の表示器具の側面図である。
【図３】本考案の表示器具を取り付けたクレセント錠の解錠状態の正面図である。
【図４】本考案の表示器具を取り付けたクレセント錠の解錠状態の側面図である。
【図５】本考案の表示器具を取り付けたクレセント錠の施錠状態の正面図である。
【考案を実施するための形態】
【００１０】
以下、図面を参照して本考案の実施の形態を説明する。
図１及び図２は本考案の表示器具の正面図と側面図の一例を示している。表示器具は、クレセント錠のハンドル４やロール壁５に固定するためのクリップ２と、開錠状態と施錠状態を色の違いで表示するために裏表で色が異なる表示板１、及びそれらを結合させるための固定ネジ３から構成される。表示器具はクリップ２を備えているため、クレセント錠に簡単に取り付けることができる。
【００１１】
図３及び図４は、表示器具をクリップ２によりクレセント錠のハンドル４の付け根付近に取り付けたときの解錠状態の正面図と側面図である。表示器具はクリップ２により安定して取り付けることができ、クレセント錠の施解錠の操作で脱落することはない。また表示器具をハンドル４の付け根付近に取り付ける事により、クレセント錠の施解錠の操作に不便を生じることはない。
【００１２】
図５は、表示器具を取り付けたクレセント錠を施錠状態にしたときの正面図である。クレセント錠のハンドル４を上側に倒すことにより施錠される。この操作に伴い、ハンドル４に取り付けた表示器具も回転して裏側の色が現れて、解錠（図３）と施錠（図５）の違いが表示板１の色の違いとして判別される。なお、図面ではいずれもクリップのつまみ部分の片側のみに表示板１を取り付けた場合を示しているが、それぞれに表示板１を取り付けても良い。また表示板１には裏表で異なる配色とする以外にも、180度回転することにより表示が異なる図形でも良い。
【００１３】
クレセント錠には図３、４、５で示したようなハンドルが比較的長いものだけではなく、短いものも市販され利用されている。この場合にはハンドルに表示器具を取り付けると施解錠の操作が不便になる。このような場合には、ロール壁５にクリップ２で取り付けたときに表示板１が見やすい角度となるように、クリップ２と表示板１が適切な傾きをもった構造とすればよい。
【符号の説明】
【００１４】
１  表示板
２  クリップ
３  固定ネジ
４  クレセント錠ハンドル
５  クレセント錠ロール壁
６  クレセント錠固定部
７  アルミサッシフレーム
８  クレセント錠受け
【図１】
0003219324.tif 000003
【図２】
0003219324.tif 000004
【図３】
0003219324.tif 000005
【図４】
0003219324.tif 000006
【図５】
0003219324.tif 000007
(57)【要約】      （修正有）【課題】厚みを押さえ、かつ軽く作ることができ、保持部材が２枚までしか重ならない状態で何枚でもカードを保持できるカードケース、及び財布を提供する。【解決手段】複数枚のカード２を部分的に重ねて収納するカードケースであって、各カードを仕切る仕切り部分３が略鳥居形の第一部材と略Ｔ字形の第二部材とで構成され、第一部材と第二部材のそれぞれの横方向に伸びる部分を互いに露出させ、横方向に伸びる部分から縦方向に伸びる部材が互いに上下に重ね合わせた状態で交互に重ねて並べられているカードケース、及びそれを備えた財布である。【選択図】図２
0003219352.tif 000002
【実用新案登録請求の範囲】
【請求項１】
複数枚のカードを部分的に重ねて収納するカードケースであって、前記各カードを仕切る仕切り部分が略鳥居形の第一部材と略Ｔ字形の第二部材とで構成され、前記第一部材と前記第二部材のそれぞれの横方向に伸びる部分を互いに露出させ、前記横方向に伸びる部分から縦方向に伸びる部材が互いに上下に重ね合わせた状態で交互に重ねて並べられているカードケース。
【請求項２】
請求項１に記載のカードケースを備えた財布。
【考案の詳細な説明】
【技術分野】
【０００１】本考案はクレジットカード、電子マネーカード、ポイントカード、ショップカード、名刺（ビジネスカード）等を収納する為のカードケースとそれを備えた財布に関する。
【背景技術】
【０００２】下記特許文献に記載のカードケースの構造は、次のとおりとなっている。特許文献１に開示される様に、カードを上下に重ねて保持する保持部材ａ、ｂ、ｃは略Ｔ字状に形成され、それらのＴ字状の縦線部分が上下に重ならない様に重ねられている。
【先行技術文献】
【特許文献】
【０００３】
【特許文献１】特開２０１６−１４０６３１号公報
【考案の概要】
【考案が解決しようとする課題】
【０００４】しかし、この形状では、略Ｔ字状の保持部分が左右対称ではない為、挿入されたカードが保持部分に引っかかって出し入れがスムーズにできない場合や、挿入したカードの片側だけが分厚くなってカード入れの厚みが不均一になる問題があった。本考案は、この問題を解決する事を課題とする。
【課題を解決するための手段】
【０００６】本考案は、複数枚のカードを部分的に重ねて収納するカードケースであって、前記各カードを仕切る仕切り部分が略鳥居形の第一部材と略Ｔ字形の第二部材とで構成され、前記第一部材と前記第二部材のそれぞれの横方向に伸びる部分を互いに露出させ、前記横方向に伸びる部分から縦方向に伸びる部材が互いに上下に重ね合わせた状態で交互に重ねて並べられているカードケース、及びそれを備えた財布である。
【考案の効果】
【０００８】本考案により、財布やカードケースの厚みを押さえ、かつ軽く作ることができる。また保持部材が２枚までしか重ならない状態で何枚でもカードを保持できるので厚みの薄い財布が制作出来る。
【図面の簡単な説明】
【０００９】
【図１】本考案に係る財布を広げてカードケースを開けた状態の平面図。
【図２】上記カードケースの保持部材を説明する為の外観斜視図。
【図３】上記保持部材を説明するための平面図。
【考案を実施するための形態】
【００１０】次に図面を参照しながら実施例の説明を行う。
【実施例】
【００１１】図１は、破線９でおり曲がる革製の財布６を広げた状態を示す。この図において、本考案に係るカードケース１は正面視で下半分に設けられ、その下半分のカードケース１の構造を図２に概略示している。財布６の上半分７は札入用のポケット８が２段設けられている。カードケース１は、例えばクレジットカード、電子マネーカード、ポイントカード等のカード２が仕切り部分３を介して重ねて収納出来るようになっている。具体的には図２に示すように、前記各カード２を仕切る仕切り部分３が略鳥居形の第一部材Ａと略Ｔ字形の第二部材Ｂとで構成され、前記第一部材Ａと前記第二部材Ｂのそれぞれの横方向に伸びる部材４を互いに露出させ、前記横方向に伸びる部材４から縦方向に伸びる部材５が互いに上下に重ね合わせた状態で交互に重ねて並べられている。使用に際しては、カード２を各仕切り部分３の間に挿入する。すると、カード２の一部分が互いに折り重なった状態でそれぞれのカード２の一部分が見える状態で並べる事が出来る。
【符号の説明】    １  カードケース
２  カード
３  仕切り部分
４  横方向に伸びる部分
５  縦方向に伸びる部分
６  財布
【図１】
0003219352.tif 000003
【図２】
0003219352.tif 000004
【図３】
0003219352.tif 000005
(57)【要約】      （修正有）【課題】本体の構造強化による重量物の容易な積載移動および高所作業ができる踏み台機能付き手押し運搬車を提供する。【解決手段】４本の支柱からなる箱型構造の本体に重量物を載せる荷台が設けられ、本体には移動式の車輪３が前部に装着され、本体の車輪３が取り付けられている部分とは反対側にハンドルが設けられ、本体後部には可動式の脚が設けられ、車輪３および脚を移動、可動させ本体正面、後面に移動させることで本体を地面に接地することができるとともに、本体上部に取り付けられている踏み台は回転し本体正面に移動ができる。【選択図】図４
0003219355.tif 000002
【実用新案登録請求の範囲】
【請求項１】
本体に重量物を載せる荷台が設けられ、本体前部には移動式の車輪が設けられ、本体の車輪が取り付けられている部分とは反対側にハンドルが設けられ、本体後部には可動式の脚が設けられ、車輪および脚を移動、可動させ本体正面、後面へ移動させることで本体を地面に接地させ踏み台として使用できるとともに、本体上部に取り付けられている踏み台は回転し本体正面に移動ができることで重量物を容易に積み込みができる踏み台機能付き手押し運搬車。
【考案の詳細な説明】
【技術分野】
【０００１】
本考案は踏み台と運搬車を組み合わせ、重量物の積載移動が容易かつ高所作業ができることを特徴とする踏み台機能付き手押し運搬車に関するものである。
【背景技術】
【０００２】
従来からの二輪車等での重量物の積載、移動および不安定な踏み台には不便があった。下記特許文献１
【先行技術文献】
【特許文献】
【０００３】
【特許文献１】公開実用  昭和５５−３４４８７
【考案の概要】
【考案が解決しようとする課題】
【０００４】
従来の装置は軽量で重量物の積載が難しく、また踏み台機能としては不安定な構造でしたが、本考案は本体を箱形構造にすることで、安定した踏み台および重量物の積載移動をできるものとした。
【課題を解決するための手段】
【０００５】
本発明は上記の課題を解決するために、本体を４本の支柱からなる箱型構造とし前部には2輪車を設けることで重量物の安定した移動が可能になり、また可動式の車輪および脚を本体から移動させることで安定した踏み台として使用ができ、さらに踏み台を回転式にすることで本体からの重量物の積み降ろしを容易にすることができるものとした。
【考案の効果】
【０００６】
以下、本考案の形態を示す図面に基づき説明をする。
【図面の簡単な説明】
【０００７】
【図１】本考案の踏み台機能付き手押し運搬車の運搬時の正面図である。
【図２】本考案の踏み台機能付き手押し運搬車の運搬時の後面図である。
【図３】本考案の踏み台機能付き手押し運搬車の運搬時の側面図である。
【図４】本考案の車輪移動および脚可動後の側面図である。
【図５】本考案の踏み台機能付き手押し運搬車の踏み台時の正面図である。
【図６】本考案の踏み台機能付き手押し運搬車の踏み台時の側面図である。
【図７】本考案の車輪および踏み台の固定、解除装置の要部を拡大した側面図である。
【図８】本考案の脚の可動装置の要部を拡大した側面図である。
【考案を実施するための形態】
【０００８】
以下、本考案の形態を示す図面に基づき説明をする。
（イ）本体１に荷台５を設け、本体正面に踏み台７、踏み台回転棒８、車輪３、車輪移動軸４を設け、本体後面にハンドル２、脚６を設ける。
（ロ）本体側面に車輪３、踏み台７の固定、解除をする固定解除レバー９を設け、脚６を可動させる可動レバー１０を設ける。
（ハ）本考案を運搬に使用するときは、踏み台回転棒８に取り付けてある踏み台７を本体正面に回転させ、荷台５に重量物を入れ、ハンドル２を握り、脚６を地面から浮かせ本体１を目的箇所へ移動ができる。
（二）本考案を踏み台に使用するときは、本体１を平らな地面に停止させ固定解除レバー９を上部に引き、ハンドル２を握り本体を手前に倒し車輪移動軸４を支点に車輪３を遠心力で本体正面に移動し本体正面の底部を地面に接地させ、ハンドル２を持ちながら可動レバー１０を上部に引き上げ、脚５を本体後面に可動させ本体後面の底部を地面に接地させ、踏み台回転棒８に取り付けてある踏み台７を本体正面から回転させて本体上部に設置した後、人が踏み台７に上り安定した作業ができる。
【産業上の利用可能性】
【０００９】
一次産業を使用項目とし、水稲、果樹畑における重量物の運搬および高所作業補助を目的とする。
【符号の説明】
【００１０】
１本体
２ハンドル
３車輪
4車輪移動軸
５荷台
６脚
７踏み台
８踏み台回転棒
９固定解除レバー
１０可動レバー
【図１】
0003219355.tif 000003
【図２】
0003219355.tif 000004
【図３】
0003219355.tif 000005
【図４】
0003219355.tif 000006
【図５】
0003219355.tif 000007
【図６】
0003219355.tif 000008
【図７】
0003219355.tif 000009
【図８】
0003219355.tif 000010
(57)【要約】【課題】使用者の指の多様な形態にかかわりなく、適正に操作可能な指保護器を提供する。【解決手段】指保護器１は、金属の板状態を屈曲することで形成したカバー部１０と、カバー部１０を支持し、指を添えることが可能な支持部２０とを備える。  支持部２０は、カバー部１０に一端が接続され、カバー部１０から離れる方向に延び、二本の指の間に挟まれる中央部２１と、中央部２１の他端に形成され中央部２１と直角を為す方向に延び拡がる羽根部２２とを有する。【選択図】図１
0003219351.tif 000002
【実用新案登録請求の範囲】
【請求項１】
指保護器は、金属の板状態を屈曲することで形成したカバー部とカバー部を支持し、指を添えることが可能な支持部とを備え、
支持部は、カバー部に一端が接続され、カバー部から離れる方向に延び、二本の指の間に挟まれる中央部と、中央部の他端に形成され中央部と異なる方向に延び拡がる羽根部とを有する指保護器。
【請求項２】
支持部はカバー部の裏面の正中部より、人差し指側に取り付けられ、薬指側のスペースが確保されている請求項１に記載の指保護器。
【考案の詳細な説明】
【技術分野】
【０００１】指保護器に関する。
【背景技術】
【０００２】  調理の際、包丁で指を傷つける事を防止する為に、従来、指を保護するカバー部とカバー部を支持する為に指を通す穴で形成された支持部を持つ指保護器が知られる。
【考案の概要】
【考案が解決しようとする課題】
【０００３】  従来の指保護器は指穴の形成が予め定形化しているため、使用者の指の太さや長さによっては、ゆるかったり不安定になったりし、適正に使用できない場合が生じた。
本考案は、使用者の指の多様な形態にかかわりなく、適正に操作可能な指保護器を提供することを目的とする。
【課題を解決するための手段】
【０００４】  指保護器は、板状体を屈曲することで形成したカバー部とカバー部を支持し、指を添えることが可能な支持部とを備える。
支持部は、カバー部に一端が接続され、カバー部から離れる方向に延びる。
支持部はカバー部の裏面の正中部より、やや人差し指側に取り付けられている。
【考案の効果】
【０００５】  使用者の指の多様な形態にかかわりなく、適正に操作可能な指保護器を提供できる。
【図面の簡単な説明】
【０００６】
【図１】図１は、指保護器を裏面から見た状態を示す写真である。
【図２】図２は、指保護器を全面から見た写真である。
【図３】図３は、指保護器の使用状態を示す写真である。
【考案を実施するための形態】
【０００７】  指保護器１は、金属の板状態を屈曲することで形成したカバー部１０と、カバー部１０を支持し、指を添えることが可能な支持部２０とを備える。
支持部２０は、カバー部１０に一端が接続され、カバー部１０から離れる方向に延び、二本の指の間に挟まれる中央部２１と、中央部２１の他端に形成され中央部２１と直角を為す方向に延び拡がる羽根部２２とを有する。
また、指保護器１は、支持部２０はカバー部１０の裏面の正中部より、人差し指側に取り付けられ、薬指側のスペースが確保されている。
【０００８】  使用者は、人差し指、中指で挟み羽根部２２をひっかけるようにして、指保護器１を保持する。すなわち、使用者は、「逆Ｔ字形状」の支持部２０を二本の指の関節で挟み込むようにして、指保護器１を持つ。このとき、支持部２０を挟んだ二本の指及び薬指はカバー部全面３０の裏面に隠される。
【０００９】  本実施形態の指保護器１によれば、調理の際に包丁で指を傷つける事を防止できる。特に食材を切断する際に添える人差し指、中指等を刃先より保護することができる。
また、調理師等の専門職人のみならず、家庭の主婦、その他、人が使用することで、誰でも安全に調理ができるようになる。
【符号の説明】
【００１０】１  指保護器
１０  カバー部
２０  支持部
２１  中央部
２２  羽根部
３０  カバー部前面
【図１】
0003219351.tif 000003
【図２】
0003219351.tif 000004
【図３】
0003219351.tif 000005
(57)【要約】【課題】螺合部材のねじ部表面に形成された磁性層により、螺合部材を螺着したときに強固に固着され、確実に螺着して緩むことを防ぐことができ、利用効率が高いねじセットを提供する。【解決手段】ねじセットは、螺合部材１を備える。螺合部材１は、ねじ部１１１を有する。ねじ部１１１の表面には、磁性層１１２が形成される。螺合部材１はねじ１１であるかナットである。【選択図】図１
0003219392.tif 000002
【実用新案登録請求の範囲】
【請求項１】
螺合部材を備えたねじセットであって、
前記螺合部材は、ねじ部を有し、
前記ねじ部の表面には、磁性層が形成されることを特徴とする、
ねじセット。
【請求項２】
前記螺合部材はねじであることを特徴とする請求項１に記載のねじセット。
【請求項３】
前記螺合部材はナットであることを特徴とする請求項１に記載のねじセット。
【考案の詳細な説明】
【技術分野】
【０００１】
本考案は、ねじセットに関し、特に、螺合部材を螺着したときに強固に固着され、確実に螺着して緩むことを防ぎ、その全体の使用上、利用効率が高いねじセットに関する。
【背景技術】
【０００２】
ねじとナットとの組み合わせは、異なる部材間を螺着により組み合わせることができるため、機械、電子、電気、運輸、電子機器、家具、建築など様々な分野で広く利用されている。また、ねじ及びナットは、産業分野の継続的な成長に伴って、使用量が増え続けているため、産業分野において重要な地位を占めている。
【０００３】
しかし、上述したねじとナットとの組み合わせは、異なる部材同士を螺着して組み合わせるという期待される効果を達成することができるが、実際の使用では、ねじとナットとを螺着して長時間使用した場合、様々な外力、振動などが加わってねじとナットとの間が緩むことがあり、最悪の場合、ねじからナットが緩んで外れ、螺着されていた部材間が緩んでしまう虞があり、改善の余地があった。
【０００４】
こうした現状を改善するために、本考案者は鋭意研究を重ねた結果、本考案のねじセットを完成させたものである。
【考案の概要】
【考案が解決しようとする課題】
【０００５】
本考案の目的は、螺合部材のねじ部表面に形成された磁性層により、螺合部材を螺着したときに強固に固着され、確実に螺着して緩むことを防ぐことができ、利用効率が高いねじセットを提供することにある。
【課題を解決するための手段】
【０００６】
上記課題を解決するために、本考案の第１の形態によれば、螺合部材を備えたねじセットであって、前記螺合部材は、ねじ部を有し、前記ねじ部の表面には、磁性層が形成されることを特徴とするねじセットを提供する。
【０００７】
前記螺合部材はねじであることが好ましい。
【０００８】
前記螺合部材はナットであることが好ましい。
【考案の効果】
【０００９】
本考案のねじセットは、螺合部材のねじ部表面に形成された磁性層により、螺合部材を螺着したときに強固に固着され、確実に螺着して緩むことを防ぐことができ、利用効率が高い。
【図面の簡単な説明】
【００１０】
【図１】本考案の一実施形態に係るねじセットを示す斜視図である。
【図２】本考案の他の実施形態に係るねじセットを示す斜視図である。
【図３】本考案の一実施形態に係るねじセットを示す横断面図である。
【図４】本考案の一実施形態に係るねじセットを示す部分拡大図である。
【図５】本考案の他の実施形態に係るねじセットを示す部分拡大図である。
【考案を実施するための形態】
【００１１】
本考案の技術手段、目的及びそれにより達成可能な効果を、より完全かつ明白に開示するために、開示した添付の図面及び符号と併せて本考案を以下詳説する。
【００１２】
まず、図１及び図２を参照する。図１は、本考案の一実施形態に係るねじセットを示す斜視図である。図２は、本考案の他の実施形態に係るねじセットを示す斜視図である。図１及び図２に示すように、ねじセットは、螺合部材１を含む。
【００１３】
螺合部材１は、ねじ１１又はナット１２でもよい。螺合部材１は、ねじ部１１１，１２１２２を有する。ねじ部１１１，１２１表面には、磁性層１１２，１２２が形成される。
図３〜図５を併せて参照する。図３は、本考案の一実施形態に係るねじセットを示す横断面図である。図４は、本考案の一実施形態に係るねじセットを示す部分拡大図である。図５は、本考案の他の実施形態に係るねじセットを示す部分拡大図である。図３〜図５に示すように、磁性層１１２，１２２は、磁性塗料でもよい。
【００１４】
本実施形態のねじセットを実際に使用する際、螺合部材１がねじ１１である場合、ねじ１１にナットを螺着させると、ねじ１１のねじ部１１１表面に形成された磁性層１１２により、ねじ１１にナットが強固に固着されて緩むことを防ぐ。螺合部材１がナット１２である場合、ナット１２にねじを螺着させると、ナット１２のねじ部１２１表面に形成された磁性層１２２により、ナット１２にねじが強固に固着されて緩むことを防ぐ。
【００１５】
上述したことから分かるように、本考案のねじセットは、従来技術と比べ、螺合部材のねじ部表面に形成された磁性層により、螺合部材を螺着したときに強固に固着され、確実に螺着して緩むことを防ぐことができ、利用効率が高い。
【符号の説明】
【００１６】
１      螺合部材
１１    ねじ
１２    ナット
１１１  ねじ部
１１２  磁性層
１２１  ねじ部
１２２  磁性層
【図１】
0003219392.tif 000003
【図２】
0003219392.tif 000004
【図３】
0003219392.tif 000005
【図４】
0003219392.tif 000006
【図５】
0003219392.tif 000007
(57)【要約】【課題】従来の紙製のポチ袋に替えて、台紙型のポチ袋を提案し、新しい趣向のポチ袋を提供することを目的とする。【解決手段】本考案の台紙型ポチ袋は、裏表紙、中抜きの中台紙、表表紙の３層からなり、裏表紙と中台紙を固着すると共に、中台紙の表側表面を剥がれ易い糊を塗って、中台紙と表表紙を着脱自在にした。【選択図】図１
0003219412.tif 000002
【実用新案登録請求の範囲】
【請求項１】
裏表紙、中抜きの中台紙、表表紙の３層からなり、裏表紙と中台紙を固着すると共に、中台紙の表側表面を剥がれ易い糊を塗って、中台紙と表表紙を着脱自在にしたことを特徴とする台紙型ポチ袋。
【請求項２】
中台紙の中空部分には、紙幣等を収納可能とし、全体の横幅は７〜８ｃｍ、縦幅は１１〜1２ｃｍの大きさであることを特徴とする前記請求項１記載の台紙型ポチ袋。
【請求項３】
表表紙を折りスタンド加工を施して、ポチ袋としての使用後写真スタンドにも活用できることを特徴とする前記請求項１又は２記載の台紙型ポチ袋。
【考案の詳細な説明】
【技術分野】
【０００１】
この考案は、紙幣等を収納するお年玉やおこずかい等のポチ袋に関するものである。
【背景技術】
【０００２】
従来、お年玉やおこずかい等のポチ袋として紙で作った小封筒状のものが用いられている。
【考案の開示】
【考案が解決しようとする課題】
【０００３】
この考案は、上記従来の紙製のポチ袋に替えて、台紙型のポチ袋を提案し、新しい趣向のポチ袋を提供することを目的とする。
【課題を解決するための手段】
【０００４】
これを解決するため、本考案の台紙型ポチ袋は、裏表紙、中抜きの中台紙、表表紙の３層からなり、裏表紙と中台紙を固着すると共に、中台紙の表側表面を剥がれ易い糊を塗って、中台紙と表表紙を着脱自在にしたポチ袋を特徴とする。
【０００５】
さらに、中台紙の中空部分には、紙幣等を収納可能とし、全体の横幅は７〜８ｃｍ、縦幅は１１〜1２ｃｍの大きさである。ポチ袋の厚みは、１〜１．５ｍｍである。また、ポチ袋としての使用後、表表紙にスタンド加工を施して写真スタンドにも活用できることを特徴とする。
【考案の効果】
【０００６】
この提案のポチ袋は趣向が新しく、新たな需要を掘り起こすことができる効果がある。また、図４の１５の様に表表紙を折り表表紙にスタンド加工を施せば、ポチ袋としての使用後写真スタンドにも活用できるメリットもある。
【図面の簡単な説明】
【０００７】
【図１】（ａ）はこの考案の台紙型ポチ袋の正面図、（ｂ）はこの考案の台紙型ポチ袋の使用状態を示す図である。
【図２】この考案の台紙型ポチ袋の中台紙を示す図である。
【図３】この考案の台紙型ポチ袋の側面図である。
【図４】この考案の台紙型ポチ袋の表表紙のスタンド加工の説明図である。
【考案を実施するための最良の形態】
【０００８】
以下、この考案のポチ袋について図を用いて説明する。
図１（a）は、この考案のポチ袋の正面図である。図３にはこのポチ袋の側面図を示すが、図３に示す如く、本考案のポチ袋は、表表紙１１、中台紙１０、裏表紙１２の３層構造になっている。中台紙１０は図２の1に示す如く、中央部分が長方形状にくり抜かれている。中台紙１０と裏表紙１２は糊付け固着されている。中台紙１０の表面側（図２の４）は接着力の弱い糊が塗られており、表表紙１１と中台紙１０は着脱自在に貼り付けられている。なお、図１（ｂ）に示す如く、中台紙の表面４が糊付けされており、中台紙の上部3は糊付けされていない。
【０００９】
図１（ｂ）に示す如く、使用時には表表紙５をめくり、４の表面にあるフィルムを剥離し、中に紙幣等を収納して再度表表紙を貼り付けてポチ袋として用いる。なお、フィルムは糊保護用であり、使用時には剥がして使う。
【００１０】
このポチ袋の素材はアルバム用台紙に用いられるものと同じものを使っているので、しっかりした厚みで重量感がある。また、表表紙及び裏表紙の素材として印画紙を用いているので、その表面に任意の図柄や模様を印刷できる。
【００１１】
使用方法は、図１（ａ）の表表紙の上部6から図１（ｂ）に示す如く、該表紙5を開き、前記中台紙の中空部分1に紙幣等を挿入し、その後該表紙5を中台紙4に貼り付けて用いる。ポチ袋を貰った子供等は、表表紙5を図１（ａ）の６のところから開いて中の小遣い等を取り出すことができる。
【００１２】
ポチ袋を使用後、表表紙を図４に示す如く、写真スタンドとして再利用が可能である。図４（ａ）において、表表紙１５のカット部１６，１７，１８を切り抜き、１９，２０にのりつけをし，点線に沿って山折り、谷折りを行って貼り合わせると図４（ｂ）に示す如く写真スタンドを形成することができる。図４（ｃ）に示す如く、カット部１６，１７に写真２１を挟むと写真スタンドとして再利用ができる。
【産業上の利用可能性】
【００１３】
本考案の台紙型ポチ袋は、新しい趣向のポチ袋なので、新たな需要が期待され、産業上の利用性が高い。
【符号の説明】
【００１４】
１      中空部
２      表表紙
４      中台紙
５      表表紙
１０      中台紙
１１      表表紙
１２      裏表紙
【図１】
0003219412.tif 000003
【図２】
0003219412.tif 000004
【図３】
0003219412.tif 000005
【図４】
0003219412.tif 000006
(57)【要約】      （修正有）【課題】前方車両及び後方車両の追突防止を予防できる着雪防止ステッカーを提供する。【解決手段】シートの表面に、着雪した雪を滑り易くするための材料をコーティングし、内側の面には粘着剤をコーティングしたものをリアテール表面の形状に合わせてカッティングした透明で光を通す着雪防止ステッカーであり、車両１台に対し、後方テール左右２箇所に着雪防止ステッカーを貼り、前方車両及び後続車両のリアテールの視界を見えやすくする。【選択図】図−１
0003219443.tif 000002
【実用新案登録請求の範囲】
【請求項１】
テールランプに貼り付けたシートの表面に、着雪した雪を滑り易くするための材料をシール表面にコーティングし、内側の面には粘着剤をコーティングしたものをリアテール表面の形状に合わせてカッティングし、透明で光を通すシートを特徴とする着雪防止ステッカー。
【考案の詳細な説明】
【技術分野】
【０００１】  本考案は、例えば大型車両及び一般車両が走行中にてリアテールに雪が付着しない様にする為、冬道走行を好適な着雪防止用リアテールステッカーに関する。
【背景技術】
【０００２】  一般的には熱線が入っていないものがほとんどであり、その場合は、ブラシ等で、その都度雪を除去していた。
【考案の概要】
【考案が解決しようとする課題】
【０００３】  リアテールに雪が付かない様にし、視認性を上げる事。【０００４】  既販車にも容易に後付けできる事。【０００５】  本考案は、上記「０００２」の様な欠点を除くようにした考えである。
【課題を解決するための手段】
【０００６】  本考案の着雪防止用ステッカーは、シートの外側の面に積もった雪を滑り易くする為の材料をコーティングし、内側の面に粘着剤をコーティングしたものを、リアテール表面の形状より大きくして形状に合わせてカッティングしたステッカーを貼る。
【考案の効果】
【０００７】  本考案は、以上詳述した如くであって、雪の付着は塊が付かなく速やかに滑落させる事ができる。
従って、雪がリアテールを覆う状態を完全に無くす事ができ、リアテールの視認性を常に確保する事もできる為、交通安全に大きく貢献する事ができる。【０００８】  本考案の着雪防止用ステッカーは極めて容易に貼る事ができ、除去も含めて容易にできる。
【図面の簡単な説明】
【０００９】  車両のリアテールの大きさは車の車種により様々な形があり、Ａ３及びＡ４のロ−ル状のシ−トをリアテ−ルの表面に合わせて、透明なステッカーを貼り付け、ドライヤー等で温め気泡及びシワが入らぬ様に、リアテールの隅からカッター等で切り取り貼り付ける。
これにより、前方車両及び後方車両の位置が速やかにわかる。
【図−１】  後方テールランプ（外観図）
【図−２】  後方テールランプ構造図
【図−３】  後方テールランプ平面図
【図−４】  後方テールランプ側面図
【図−５】  貼付け図（例−１）
【図−６】  貼付け図（例−２）
【図−７】  貼付け図（例−３）
【図−８】  貼付け図（例−４）
【図−９】  着雪防止用テールステッカー（４層構造）
【考案を実施するための形態】
【００１０】  以下図面によって本考案の説明をする。
【実施例１】
【００１１】    本考案において、Ａ３もしくはＡ４の大きさの長尺状のロールシートを作り、リアテールの形状に合わせて切り出す。
【符号の説明】
【００１２】▲１▼    リアテールランプ本体
▲２▼    リアテールランプ外枠
▲３▼    着雪防止用テールステッカー
▲４▼    ステッカー切取り部（破線）
▲５▼    貼付けたステッカー
▲６▼    切り取るシート
▲７▼    切り取り部
▲８▼    リアテール表面
▲９▼    ４層構造
▲１０▼  着雪防止シート
▲１１▼  伸縮シート
▲１２▼  粘着シート
▲１３▼  保護シート
【図−１】
0003219443.tif 000003
【図−２】
0003219443.tif 000004
【図−３】
0003219443.tif 000005
【図−４】
0003219443.tif 000006
【図−５】
0003219443.tif 000007
【図−６】
0003219443.tif 000008
【図−７】
0003219443.tif 000009
【図−８】
0003219443.tif 000010
【図−９】
0003219443.tif 000011
(57)【要約】      （修正有）【課題】リクライニングベッドを起こした時、ずり落ちないリクライニングベッド用マクラを提供する。【解決手段】マクラ１にゴム等からなる締め付けることが出来る輪になった平たい帯状のもの２を縫い付け、敷き布団に輪になった帯状のものを通し、マクラを固定する。【選択図】図１
0003219440.tif 000002
【実用新案登録請求の範囲】
【請求項１】
マクラに平行に輪になった平たく細長い帯状のゴムを縫い付けことを特徴とする、リクライニングベッド用マクラ。
【考案の詳細な説明】
【技術分野】
【０００１】本考案は、ベッドをリクライニングして、起こした時にも、ずり落ちないまくらに関するものである。
【背景技術】
【０００２】リクライニングベッドでのまくらの使用は、病院、施設、個人宅等、多くの場所で行なわれている。
【考案が解決しようとする課題】
【０００３】リクライニングベッドを、起こして角度をつけた時、まくらがずり落ちそうになり、何度も直したりして、面倒です。
【課題を解決するための手段】
【０００４】マクラにゴム等締め付けることが出来る細長い帯状のものを縫い付け、敷き布団に前記マクラが縫い付けられた帯状のものを通し、マクラを固定する。
【考案の効果】
【０００５】リクライニングベッドを、角度をつけて起こした場合まくらがずり落ちないので、頭を押しつけて、まくらが落ちないようにするような無理な力をかけなくてよい。また、ずり落ちてしまった時、いちいち直していたが、まくらが固定されているので、いちいち直す必要がない。
【０００６】腕の骨折、手の指の骨折等の時、ベッドを起こしていることも多いし、ベッドから離れて歩くことも多い。そんな時、まくらが固定されていたらいちいち直さなくてもいいし、楽にまくらに頭をのせて休むことができる。
【図面の簡単な説明】
【０００７】
【図１】マクラと縫い付けられた輪になった帯状の平たいゴム
【図２】ベッドの上の敷き布団にまくらを固定した図
【考案を実施するための形態】
【０００８】マクラにゴム等締め付けることが出来る輪になった平たい帯状のものを縫い付け、敷き布団に前記マクラが縫い付けられた輪になった帯状のものを通し、マクラを固定する。
【実施例】
【０００９】以下添付図に従って、一実施例を説明する。１は、リクライニングベッドの敷き布団であり、２は、マクラであり、３は、マクラカバーに縫い付けてマクラを敷き布団に固定するための、輪になった平たい帯状のゴムである。
【符号の説明】
【０００１０】１  まくら
２  マクラカバーに縫い付けられた輪になった平たい帯状のゴムである。
３  敷き布団
【図１】
0003219440.tif 000003
【図２】
0003219440.tif 000004
(57)【要約】      （修正有）【課題】用途別目印を簡単に安価に付けることができるタオルを提供する。【解決手段】タオルに細長い布を縫い付け、細長い布に、使用者が用途を書込みタオルの用途の目印とする。【選択図】図１
0003219439.tif 000002
【実用新案登録請求の範囲】
【請求項１】
タオルに細長い布を縫い付け、タオルの用途の目印とすることを特徴とするタグを縫い付けたタオル
【考案の詳細な説明】
【技術分野】
【０００１】  本考案は、用途や、だれが使うのかなどを分かりやすくするための書き込めるタグを予め付けているタオルに関するものである。
【背景技術】
【０００２】  従来、トイレ用とか洗面所用、台所用、個人別用等、用途によってタオルを分ける場合、タオル本体に予め用途が書いてある高価なものを選ぶか、使用者がマジック等で用途を書き込むか、刺繍や縫い付けによる用途の目印をつけていた。
【考案の概要】
【考案が解決しようとする課題】
【０００３】  タオルの用途を簡単に安価にし分けることができる。
【課題を解決するための手段】
【０００４】  本考案は、タオルの端の方に書き込める無地の布で出来た、タグを縫い付けておき、そこに、使用者がトイレ、洗面所、介護、個人の名前等を書き込んで使用する。
【考案の効果】
【０００５】  従来のタオル本体に平面的に付けられた用途別目印では、畳まれて保管している時一目では分かりにくかったが、使用者にとって分かりやすい、用途別書込色別タグをつけることによって、一目で用途が確認できる。介護用等、他と特に分けておきたいものも簡単に分けることができ使用者以外の者でも分かりやすく間違いが少なくなる。
【図面の簡単な説明】
【０００６】
【図１】布でできたタグを縫い付けられたタオル。
【考案を実施するための形態】
【０００７】  予めタオルの端にタグとして使用できるリボン等の布を縫い付けておく。必要に応じて前記布にマジック等で用途を書き込む。
【実施例】
【０００８】  以下添付図に従って、一実施例を説明する。１は、タオル本体であり、２は前記タオルに縫い付けられたリボン等の細長い布である。その布に使用者はマジック等で、用途を書き込む。布の色別でタオルの用途をし分けることもできる。
【符号の説明】
【０００９】  １  タオル
２  タオルに縫い付けられ、タグとして使用できる細長い布
【図１】
0003219439.tif 000003
(57)【要約】      （修正有）【課題】カーコンポの挿入口にヤニや埃等の侵入を防ぐカバーを提供する。【解決手段】カバー１０は、カーコンポ２０の前面に取り付けられ、ＣＤ等７の挿入口６を被って垂れ下がる吊り下げ部１とその吊り下げ部の前方の下部に取り付けられ、前方に屈曲するく字状の引っ掛け部２とを有する。吊り下げ部は、その後面上部にカーコンポ取り付け部８（５ａ、５ｂ）と後面下部にＣＤ等の挿入口を被う布素材部３が設けられている。カーコンポのＣＤ、ＤＶＤ用入り口に蓋をするというシンプルな構成で、なおかつ、ＣＤ、ＤＶＤを入れる際に引っ掛け部分がありＣＤ、ＤＶＤを下から押し上げて入れる事が出来るので、車の走行時にも、片手で簡単に入れられる仕組みになっている。ＣＤ、ＤＶＤを取り出す時は、取り出しボタンを押せば、蓋が勝手に上に開いてくれるので、スムーズに片手だけでＣＤ、ＤＶＤを取り出す事が出来る。【選択図】図１
0003219434.tif 000002
【実用新案登録請求の範囲】
【請求項１】
カーコンポの前面に取り付けられ、ＣＤ等の挿入口を被って垂れ下がるつり下け部とそのつり下げ部の前方の下部に取り付けられ、前方に屈曲するく字状の引っ掛け部とを有するカバーであって、前記つり下げ部は、その後面上部にカーコンポ取り付け部と後面下部に前記ＣＤ等の挿入口を被う布素材部が設けられているカバー。
【請求項２】
カーコンポ取り付け部は、カーコンポ前面に取り付けられる取り付け部５ａとつり下げ部の後面上部に取り付けられる取り付け部５ｂからなることを特微とする請求項１に記載のカバー
【考案の詳細な説明】
【技術分野】
【０００１】  本考案は、ＣＤ、ＤＶＤ、ブルーレイ等の挿入口に取り付けるカバーである。
【背景技術】
【０００２】  従来のカーコンポには、挿入口にゴミが入り難くするものとして、挿入口の上下に毛を設けたものがあり、又、内部に蓋を設けたものがある。
【先行技術文献】
【特許文献】
【０００３】
【特許文献】実開平９−１５３
【考案の概要】
【考案が解決しようとする課題】
【０００４】  カーコンポの挿入口の上下に毛の付いたものは、ヤニや埃が入り易く、すぐに故障するという問題がある。又、内部に蓋を設けたものは、コストも高く、壊れ易いという問題がある。
【課題を解決するための手段】
【０００５】  本考案は、カーコンポの挿入口にヤニや埃等の侵入を防ぐカバーを提供する事を目的とする。本考案におけるカバーは、引っ掛け部の付いた脱着可能なカーコンポのカバーである。
【考案の効果】
【０００６】  上述のように、カバーを設けると、ヤニや埃が入らない事は勿論、コストも安く壊れ難い。
【図面の簡単な説明】
【０００７】
【図１】  カバーが閉じられている側面図
【図２】  カバーが開いている側面図
【実施例】
【０００８】  本考案の実施例について図面を参照しながら説明する。取り付け部８は脱着可能なものとし、カバー本体１０を取り外し可能なものとする。こうすることでカバー本体１０が汚れたら、取り外し、洗ってきれいにし、再び取り付ける事ができる。
取り付け部８は、カーコンポ２０に取り付ける取り付け部５ａと吊り下げ部後面上部に取り付ける取り付け部５ｂからなる。取り付け部８は、面ファスナー等を用いると良い。接着部４は、カーコンポ２０の上部と取り付け部５ａを貼り合わせるもので、強力な両面テープを用いると良い。
カバー１０を取り付ける事により、カーコンポの挿入口６からヤニや埃が侵入するのを防ぐ。布素材部３を取り付ける事により、カーコンポの挿入口６が、カバー本体１０と密着し、ヤニや埃の侵入を防ぐ効果を高める。
引っ掛け部２は、外側にく字状に折り曲げる。この部分に、ＣＤ、ＤＶＤ、ブルーレイ等７を引っ掛けて持ち上げ、カバー本体１０が開くので、片手で簡単に、ＣＤ、ＤＶＤブルーレイ等７を挿入する事ができる。ＣＤ、ＤＶＤ、ブルーレイ等７を取り出す時は取り出しボタンを挿せば、勝手にＣＤ、ＤＶＤ、ブルーレイ等７が出て、カバー本体１０が開き、取り出す事が出来る。吊り下げ部１は不織布など柔いものを使う。
引っ掛け部２は、木でもプラスチックでもいいが、固めで少し重みのあるものを使う。固さがあると、ＣＤ、ＤＶＤ、ブルーレイ等７を引っ掛け部２に引っ掛け易く、重みがあると、カバー１０がカーコンポの挿入口６にピタリと密着し易くなる引っ掛け部の角度は１３５°くらいが良いと思われる。布素材部３も、カーコンポの挿入口６に密着しやすいように不織布など柔いものを使う。
カバー本体１０の横幅はそれぞれのメーカーに合うものとし、縦幅の寸法はカーコンポ２０のボタン操作の邪魔にならない１．３〜１．８ｍｍくらいが良いと思われる。
【符号の説明】１    吊り下げ部
２    引っ掛け部
３    布素材部
４    接着部
５ａ  取り付け部
５ｂ  取り付け部
６    カーコンポの挿入口
７    ＣＤ、ＤＶＤ、ブルーレイ等
８    取り付け部
１０  カバー
２０  カーコンポ
【図１】
0003219434.tif 000003
【図２】
0003219434.tif 000004